(57)【要約】      （修正有）【課題】軽量で断熱性を有し、コストの安価な建物天井とその効率的な取付け方法を提供する。【解決手段】天井下地材３０に支持されている建物天井１００であって、底面と、底面から立設して対向する１組の立面とを有し、段ボールを素材とする段ボールトレイ１０が天井下地材３０の上に載置され、段ボールトレイ１０の上に断熱材２０が載置されている。【選択図】図６
2019173307.tif 000002
【特許請求の範囲】
【請求項１】
天井下地材に支持されている建物天井であって、
底面と、該底面から立設して対向する１組の立面とを有し、段ボールを素材とする段ボールトレイが前記天井下地材の上に載置され、
前記段ボールトレイの上に断熱材が載置されていることを特徴とする、建物天井。
【請求項２】
前記段ボールトレイは、前記底面における前記立面を有していない端辺から該底面の内部に延びている複数の切り込み部を有しており、
複数の前記段ボールトレイの前記切り込み部同士が嵌め合いされることにより、複数の該段ボールトレイが接続されていることを特徴とする、請求項１に記載の建物天井。
【請求項３】
前記段ボールトレイの室内空間側に臨む下面が意匠面を有することを特徴とする、請求項１又は２に記載の建物天井。
【請求項４】
前記天井下地材は、第１の方向に延設する複数の野縁受けと、該第１の方向に直交する第２の方向に延設して該野縁受けに支持される複数の野縁と、を有し、
前記段ボールトレイは前記野縁受けの上に載置されており、
意匠面を有する天井面材が、前記第１の方向に間隔を置いて配設されている前記野縁に架け渡されており、
前記天井面材は、段ボールを素材とし、平板状のライナーと、該ライナーに接着されているコルゲートとを有し、
前記コルゲートが室内空間側に臨んだ姿勢でコルゲート天井を形成していることを特徴とする、請求項１又は２に記載の建物天井。
【請求項５】
前記野縁には、前記第１の方向に延出する載置面を有するハット型ジョイナーが取付けられ、該ハット型ジョイナーの該載置面に前記天井面材が載置されていることを特徴とする、請求項４に記載の建物天井。
【請求項６】
建物の壁際にある前記野縁には、室内空間側に開口を向けたコの字型ジョイナーが取り付けられており、該コの字型ジョイナーの有する載置面に前記天井面材の端部が載置されていることを特徴とする、請求項５に記載の建物天井。
【請求項７】
天井下地材に建物天井を取付ける、建物天井の取付け方法であって、
底面と、該底面から立設して対向する１組の立面とを有し、段ボールを素材とする段ボールトレイの上に断熱材を載置し、該段ボールトレイを前記天井下地材の上に順次載置して建物天井を取付けることを特徴とする、建物天井の取付け方法。
【請求項８】
前記段ボールトレイは、前記底面における前記立面を有していない端辺から該底面の内部に延びている複数の切り込み部を有しており、
前記段ボールトレイを前記天井下地材の上に載置し、次に載置される前記段ボールトレイを前記天井下地材の上に載置するとともに、双方の該段ボールトレイの有する前記切り込み部同士を嵌め合せて複数の段ボールトレイを接続することを特徴とする、請求項７に記載の建物天井の取付け方法。
【請求項９】
前記天井下地材は、第１の方向に延設する複数の野縁受けと、第１の方向に直交する第２の方向に延設して該野縁受けに支持される複数の野縁と、を有し、
前記段ボールトレイを前記野縁受けの上に順次載置する段ボールトレイ載置工程と、
段ボールを素材とし、平板状のライナーと、該ライナーに接着されているコルゲートとを有している天井面材をロール状に巻いた天井面材ロール体を、前記第１の方向に間隔を置いて配設されている前記野縁に架け渡し、該天井面材ロール体から前記天井面材を前記第２の方向に引き出していくことにより、前記コルゲートが室内空間側に臨んだ姿勢で前記天井面材を前記野縁の有する載置面に載置して、コルゲート天井を形成するコルゲート天井形成工程と、を有することを特徴とする、請求項７又は８に記載の建物天井の取付け方法。
【請求項１０】
前記立面を折り曲げ加工するための罫線を有する段ボール面材を現場に搬送し、現場にて前記段ボールトレイを組み立てることを特徴とする、請求項７乃至９のいずれか一項に記載の建物天井の取付け方法。
【発明の詳細な説明】
【技術分野】
【０００１】
本発明は、建物天井とその取付け方法に関する。
【背景技術】
【０００２】
建物天井は一般に、野縁等の天井下地材に対して、石膏ボード等の硬質の天井面材が取付けられることにより、形成されている。建物の良好な居住環境を保証するべく、建物の外壁のみならず、建物天井にも断熱性が要求される。そこで、断熱性を有する建物天井を形成する一例として、上記する石膏ボード等からなる天井面材の天井裏に、グラスウール等の断熱材が施工される。
【０００３】
ところで、石膏ボード等の天井面材は、比較的重量があり、また剛性があることから、その上に断熱材を施工しても断熱材の重量によって天井面材が撓むことはない。しかしながら、このように重量のある天井面材を建物天井に適用する場合に、地震による天井落下が大きな問題の一つとなる。そこで、軽量な天井面材にて建物天井を形成することにより、この天井落下の問題が解消され得る。
【０００４】
軽量な天井面材を使用することにより、天井落下の問題は解消されるものの、天井面材が軽量で剛性が低いことにより、今度は天井面材の上に断熱材を載置した際に、断熱材の重量で天井面材が撓んでしまうといった問題が生じ得る。
【０００５】
軽量な天井面材の一例として、複数の中ライナーと、複数の中芯とが交互に積層されて形成された芯材部と、芯材部の表面と裏面に貼着された外ライナーとを有し、段ボール板材の表面がアルミニウム箔にて被覆されて形成される天井面材（ここでは、天井材）が提案されている（例えば、特許文献１参照）。
【先行技術文献】
【特許文献】
【０００６】
【特許文献１】特開２０１４−６６１２８号公報
【発明の概要】
【発明が解決しようとする課題】
【０００７】
しかしながら、特許文献１に記載の天井材は、その上部に断熱材が載置されることを想定したものでないことより、断熱材が載置された際に天井材が撓んでしまうといった上記課題を解消することは難しい。
【０００８】
本発明は上記する問題に鑑みてなされたものであり、軽量で断熱性を有し、コストの安価な建物天井とその効率的な取付け方法を提供することを目的としている。
【課題を解決するための手段】
【０００９】
前記目的を達成すべく、本発明による天井面材の一態様は、
天井下地材に支持されている建物天井であって、
底面と、該底面から立設して対向する１組の立面とを有し、段ボールを素材とする段ボールトレイが前記天井下地材の上に載置され、
前記段ボールトレイの上に断熱材が載置されていることを特徴とする。
【００１０】
本態様によれば、底面と１組の立面を有する段ボールトレイに断熱材が載置されることにより、段ボールトレイは、１組の立面にて剛性が高められ、断熱材を載置した際に撓むことなく、軽量な天井面材を形成することができる。また、石膏ボード等を適用する場合に比べて、安価に建物天井を形成できる。
【００１１】
ここで、「底面から立設して対向する１組の立面」とは、例えば平面視矩形の底面から立設して対向する１組の立面を意味しており、段ボールトレイの形態としては、平面視矩形の底面と対向する１組の立面とを有する形態の他、底面から立設する２組の立面を有する箱型の形態等を含んでいる。さらに、「段ボール」とは、一般に普及されている段ボールの他にも、プラスチック製の段ボールや、複数枚の紙を接着させながら積層して形成された厚紙も含んでおり、いずれの素材も軽量な段ボールトレイを形成できる。一般に普及されている段ボールにおいては、一枚のライナーと、このライナーに接着されている芯材であるコルゲートとを有する形態や、コルゲートを２枚のライナーで挟んだ形態、３枚のライナーに挟まれた２つの空間にそれぞれコルゲートが介在する形態など、様々な形態の段ボールが適用できる。いずれの形態の段ボールトレイであっても、室内空間側に臨む段ボールトレイの素材は、不燃紙等で形成されているのが望ましい。この不燃紙としては、ケイ酸マグネシウムを主成分とした無機質紙等を適用できる。
【００１２】
断熱材が載置されている複数の段ボールトレイが天井下地材の上に並べられて、建物天井が形成される。尚、複数の段ボールトレイの一部又は全部を天井下地材に対してビスや釘等で固定してもよい。
【００１３】
また、本発明による建物天井の他の態様において、前記段ボールトレイは、前記底面における前記立面を有していない端辺から該底面の内部に延びている複数の切り込み部を有しており、
複数の前記段ボールトレイの前記切り込み部同士が嵌め合いされることにより、複数の該段ボールトレイが接続されていることを特徴とする。
【００１４】
本態様によれば、複数の段ボールトレイの切り込み部同士を嵌め合いして複数の段ボールトレイを接続することにより、段ボールトレイの長さを天井の長さに適合させることができる。また、段ボールであることから、切り込み部の形成も、切り込み部同士の嵌め合いも容易に行うことができる。
【００１５】
また、本発明による建物天井の他の態様は、前記段ボールトレイの室内空間側に臨む下面が意匠面を有することを特徴とする。
【００１６】
本態様によれば、室内空間に臨む段ボールトレイの下面が意匠面を有することにより、断熱性と軽量性に加えて、意匠性に優れた建物天井を形成することができる。ここで、意匠面の形態として、段ボールトレイの下面に化粧紙や化粧フィルムが貼着された形態などを挙げることができる。また、段ボールが、一枚のライナーと、このライナーに接着されている芯材であるコルゲートとを有する形態の場合に、このコルゲートを室内空間側に臨むようにして天井下地材に載置することにより、波状を成す立体的な天井面を形成することができる。
【００１７】
また、本発明による建物天井の他の態様において、前記天井下地材は、第１の方向に延設する複数の野縁受けと、該第１の方向に直交する第２の方向に延設して該野縁受けに支持される複数の野縁と、を有し、
前記段ボールトレイは前記野縁受けの上に載置されており、
意匠面を有する天井面材が、前記第１の方向に間隔を置いて配設されている前記野縁に架け渡されており、
前記天井面材は、段ボールを素材とし、平板状のライナーと、該ライナーに接着されているコルゲートとを有し、
前記コルゲートが室内空間側に臨んだ姿勢でコルゲート天井を形成していることを特徴とする。
【００１８】
本態様によれば、断熱材が載置された段ボールトレイが野縁受けに支持され、室内空間側に臨む天井面材が野縁の載置面に載置されることにより、断熱機能を奏する部位と、室内空間側に対する意匠性を奏する部位が明確に分けられた建物天井を形成できる。すなわち、断熱材が載置される段ボールトレイは、室内空間側から視認できなくなることから、段ボールトレイの下面を意匠面にする必要はない。また、天井面材が、平板状のライナーと、ライナーに接着されているコルゲートとから形成されているため、コルゲートは平板状のライナーによって平面的な広がりを保持されながら、波形の意匠面を形成することができる。
【００１９】
また、本発明による建物天井の他の態様において、前記野縁には、前記第１の方向に延出する載置面を有するハット型ジョイナーが取付けられ、該ハット型ジョイナーの該載置面に前記天井面材が載置されていることを特徴とする。
【００２０】
本態様によれば、野縁に取付けられているハット型ジョイナーと野縁とによって、天井面材を挟みこみながらハット型ジョイナーの載置面に天井面材を載置することにより、面的に平坦に広がる態様で天井面材を敷設することができる。
【００２１】
また、本発明による建物天井の他の態様において、建物の壁際にある前記野縁には、室内空間側に開口を向けたコの字型ジョイナーが取り付けられており、該コの字型ジョイナーの有する載置面に前記天井面材の端部が載置されていることを特徴とする。
【００２２】
本態様によれば、天井面材の壁側の端部をコの字型ジョイナーに収容し、載置することにより、天井面材と壁との見切りを綺麗に仕上げることができる。
【００２３】
また、本発明による建物天井の取付け方法の一態様は、
天井下地材に建物天井を取付ける、建物天井の取付け方法であって、
底面と、該底面から立設して対向する１組の立面とを有し、段ボールを素材とする段ボールトレイの上に断熱材を載置し、該段ボールトレイを前記天井下地材の上に順次載置して建物天井を取付けることを特徴とする。
【００２４】
本態様によれば、断熱材が載置された複数の段ボールトレイを、天井下地材の上に順次載置していくことによって建物天井を形成することにより、断熱性を有し、軽量な建物天井を効率的に取付けることができる。
【００２５】
また、本発明による建物天井の取付け方法の他の態様において、前記段ボールトレイは、前記底面における前記立面を有していない端辺から該底面の内部に延びている複数の切り込み部を有しており、
前記段ボールトレイを前記天井下地材の上に載置し、次に載置される前記段ボールトレイを前記天井下地材の上に載置するとともに、双方の該段ボールトレイの有する前記切り込み部同士を嵌め合せて複数の段ボールトレイを接続することを特徴とする。
【００２６】
本態様によれば、複数の段ボールトレイの切り込み部同士を嵌め合いして複数の段ボールトレイを接続することにより、天井下地材の裏側に持ち上げて載置することが可能な寸法の段ボールトレイを順次天井下地材の裏側に持ち運び、複数の段ボールトレイを相互に接続して天井の長さに適合させながら建物天井を形成することができる。この際、段ボールトレイの切り込み部同士を嵌め合いして段ボールトレイ同士を接続できることから、その接続施工も容易に行うことができる。
【００２７】
また、本発明による建物天井の取付け方法の他の態様において、前記天井下地材は、第１の方向に延設する複数の野縁受けと、第１の方向に直交する第２の方向に延設して該野縁受けに支持される複数の野縁と、を有し、
前記段ボールトレイを前記野縁受けの上に順次載置する段ボールトレイ載置工程と、
段ボールを素材とし、平板状のライナーと、該ライナーに接着されているコルゲートとを有している天井面材をロール状に巻いた天井面材ロール体を、前記第１の方向に間隔を置いて配設されている前記野縁に架け渡し、該天井面材ロール体から前記天井面材を前記第２の方向に引き出していくことにより、前記コルゲートが室内空間側に臨んだ姿勢で前記天井面材を前記野縁の有する載置面に載置して、コルゲート天井を形成するコルゲート天井形成工程と、を有することを特徴とする。
【００２８】
本態様によれば、野縁受けに段ボールトレイを載置して天井面を段ボールトレイで敷き詰め、次いで、天井面材ロール体から天井面材を引き出しながら野縁に天井面材を載置してコルゲート天井を形成することにより、断熱機能を奏する部位と、室内空間側に対する意匠性を奏する部位が明確に分けられた建物天井を効率的に取付けることができる。ここで、天井面材が、平板状のライナーと、該ライナーに接着されているコルゲートとから形成されていることにより、コルゲート側を内側にして天井面材をロール状に巻くことができ、天井面材ロール体を形成することが可能になる。例えば、コルゲートが２枚のライナーで挟まれた形態では、天井面材をロール状に巻く際に、内側にあるライナーが巻き回しを阻害して天井面材ロール体を形成し難い。
【００２９】
また、本発明による建物天井の取付け方法の他の態様は、前記立面を折り曲げ加工するための罫線を有する段ボール面材を現場に搬送し、現場にて前記段ボールトレイを組み立てることを特徴とする。
【００３０】
本態様によれば、例えば複数の平坦な段ボール面材を重ねて現場搬送することができ、段ボールトレイ用の段ボールの搬送効率を高めることができる。また、現場にて、段ボール面材に設けられている罫線に沿って立面を容易かつ綺麗に折り曲げ加工することができるため、現場にて段ボールトレイを効率的に製作することができ、このことも建物天井の取付け効率の向上に寄与する。
【発明の効果】
【００３１】
以上の説明から理解できるように、本発明の建物天井によれば、軽量で断熱性を有し、コストの安価な建物天井を提供することができる。また、本発明の建物天井の取付け方法によれば、このように様々な効果を有する建物天井を効率的に取付けることができる。
【図面の簡単な説明】
【００３２】
【図１】実施形態に係る建物天井を形成する段ボールトレイの一例の斜視図である。
【図２】図１に示す段ボールトレイに断熱材が載置された状態を示す斜視図である。
【図３】図１に示す段ボールトレイが接続された状態を示す斜視図である。
【図４】天井下地材の一例を示す斜視図である。
【図５】第１の実施形態に係る建物天井の取付け方法を説明する工程図である。
【図６】図５に続いて建物天井の取付け方法を説明する工程図であって、第１の実施形態に係る建物天井を示す図である。
【図７】天井下地材の他の例を示す斜視図である。
【図８】第２の実施形態に係る建物天井の取付け方法を説明する工程図である。
【図９】（ａ）は、天井面材の一例を示す斜視図であり、（ｂ）は天井面材ロール体を示す側面図である。
【図１０】図８に続いて建物天井の取付け方法を説明する工程図である。
【図１１】図１０に続いて建物天井の取付け方法を説明する工程図であって、第２の実施形態に係る建物天井を示す図である。
【図１２】第２の実施形態に係る建物天井を室内空間側から見た斜視図である。
【発明を実施するための形態】
【００３３】
以下、第１、第２の実施形態に係る建物天井とその施工方法について添付の図面を参照しながら説明する。なお、本明細書及び図面において、実質的に同一の構成要素については、同一の符号を付することにより重複した説明を省く場合がある。
【００３４】
［第１の実施形態に係る建物天井とその取付け方法］
＜段ボールトレイと断熱材＞
はじめに、図１乃至図３を参照して、実施形態に係る建物天井を形成する段ボールトレイと断熱材について説明する。ここで、図１は、実施形態に係る建物天井を形成する段ボールトレイの一例の斜視図である。また、図２は、図１に示す段ボールトレイに断熱材が載置された状態を示す斜視図であり、図３は、図１に示す段ボールトレイが接続された状態を示す斜視図である。
【００３５】
段ボールトレイ１０は、平面視矩形の底面１１と、底面１１から立設して対向する１組の立面１２とを有し、段ボールを素材とするトレイである。段ボールの構造は、図１の拡大図に示すように、内側と外側のライナー１，２と、２つのライナー１，２の間に配設されてそれぞれのライナー１，２に接着されているコルゲート３とを有する。なお、段ボールトレイ１０の素材は、図示する構成の通常の段ボールの他にも、さらにコルゲートとライナーが積層されて剛性の高められた段ボールであってもよい。また、プラスチック素材の段ボールであってもよいし、複数の紙を接着しながら積層してできる厚紙を使用してもよく、これらの素材も「段ボール」に含むものとする。
【００３６】
段ボールトレイ１０は、２本の罫線１４を有する段ボール面材が所定枚数重ね合された状態で現場に搬送され、罫線１４に沿って作業員が折り曲げることにより、図示するように綺麗に曲げ加工された段ボールトレイ１０が形成される。
【００３７】
段ボールトレイ１０は、底面１１における立面１２を有していない端辺１５から罫線１４に沿って、底面１１の内部に延びている４つの切り込み部１３を有している。
【００３８】
図２に示すように、段ボールトレイ１０には、断熱材２０が載置される。この断熱材２０としては、グラスウールボードや、発泡プラスチック系の断熱材を適用でき、発泡プラスチック系の断熱材としては、ポリスチレンを主原料に発泡成型したボード状の断熱材を適用できる。
【００３９】
図２に示すように、段ボールトレイ１０に断熱材２０が載置された状態で、段ボールトレイ１０は天井下地材の上に載置される。この際、段ボールトレイ１０が底面１１から立設する１組の立面１２を有していることにより、底面１１に対する面外の曲げ剛性等が高められ、断熱材２０が載置された状態において断熱材２０の重量による底面１１の撓みが抑制される。
【００４０】
天井下地材の上において、図３に示すように、複数の段ボールトレイ１０の切り込み部１３同士が嵌め合いされることにより、複数の段ボールトレイ１０が接続された状態で天井下地材に載置される。尚、図３に示すように相互に接続された各段ボールトレイ１０の上に、図２に示すように断熱材２０がそれぞれ載置された状態で、各段ボールトレイ１０が天井下地材の上に載置される。
【００４１】
図３からも明らかなように、段ボールトレイ１０の有する切り込み部１３同士を嵌め合いすることによって複数の段ボールトレイ１０が接続されることから、段ボールトレイ１０の接続を容易に行うことができる。より具体的には、先行して天井下地材の上に載置されている段ボールトレイ１０に対して、次に載置される段ボールトレイ１０を天井下地材の上に持ち運び、容易に段ボールトレイ１０同士の接続を行うことができる。
【００４２】
＜建物天井とその取付け方法＞
次に、図４乃至図６を参照して、第１の実施形態に係る建物天井とその取付け方法について説明する。ここで、図４は、天井下地材の一例を示す斜視図である。また、図５及び図６は順に、第１の実施形態に係る建物天井の取付け方法を説明する工程図であり、図６は、更に第１の実施形態に係る建物天井を示す図である。
【００４３】
まず、図４に示すように、不図示の天井梁やデッキプレート、コンクリートスラブ等から垂下される吊ボルト３１にハンガー３２を螺子止めし、このハンガー３２に野縁受け３３を支持させる。尚、図４では、図面を見易くするために、野縁受け３３を支持するハンガー３２と吊りボルト３１の一部のみを示している。
【００４４】
野縁受け３３は第１の方向に延設しており、複数の野縁受け３３が、第１の方向に直交する第２の方向に対して所定の間隔を置いて配設されている。ここで、第１の方向とは、例えば平面視矩形の建物の対向する１組の壁と壁を結ぶ方向であり、第２の方向は、建物の対向する他の１組の壁と壁を結ぶ方向である。
【００４５】
野縁受け３３に対して、第２の方向に延びる野縁３４が、第１の方向に所定の間隔を置いて配設され、支持されている。ここで、野縁受け３３と野縁３４は断面コの字状の金具から形成されている。また、野縁受け３３に対して、野縁３４は、ビスやクリップ等にて支持される。図４において、天井下地材３０の上方が天井空間側となり、天井下地材３０の下方が室内空間側となる。
【００４６】
図４に示すように天井下地材３０が施工された後、図５に示すように、断熱材２０が載置された段ボールトレイ１０を不図示の作業員が野縁受け３３の上方であるＸ方向に持ち運び、第２の方向に間隔を置いて配設されている野縁受け３３の上に載置する。
【００４７】
断熱材２０が載置された１つの段ボールトレイ１０を野縁受け３３の上に載置した後、次に載置される段ボールトレイ１０を断熱材２０を搭載した状態で双方の切り込み部１３同士を嵌め合いさせながら接続して、同様に野縁受け３３の上に載置する。
【００４８】
図６は、以上のようにして相互に接続されている断熱材２０が搭載された２つの段ボールトレイ１０が、第１の方向に２列形成された状態を示している。実際には、天井面を敷き詰めるようにして、断熱材２０が搭載された段ボールトレイ１０が野縁受け３３の上に載置されることにより、建物天井１００の取付けが完了する。
【００４９】
図６に示す建物天井１００は、段ボールトレイ１０の下面が室内空間側に臨んでいることより、図示を省略するが、段ボールトレイ１０の下面には化粧紙や化粧フィルムが貼着され、意匠面が形成されている。また、室内空間に直接臨む段ボールトレイ１０の素材は、不燃紙等で形成されているのが望ましく、この不燃紙には、ケイ酸マグネシウムを主成分とした無機質紙等が適用できる。
【００５０】
図示する建物天井１００によれば、軽量で安価な建物天井１００を、効率的に取付けることができる。
【００５１】
［第２の実施形態に係る建物天井とその取付け方法］
次に、図７乃至図１２を参照して、第２の実施形態に係る建物天井とその取付け方法について説明する。ここで、図７は、天井下地材の他の例を示す斜視図であり、図９（ａ）は、天井面材の一例を示す斜視図であり、図９（ｂ）は天井面材ロール体を示す側面図である。また、図８、図１０、図１１は順に、第２の実施形態に係る建物天井の取付け方法を説明する工程図であり、図１２は、第２の実施形態に係る建物天井を室内空間側から見た斜視図である。
【００５２】
図７には、図４に示す天井下地材３０に改良を加えた天井下地材３０Ａを示している。具体的には、壁際に位置していない野縁３４には、その下面において第１の方向に延出する載置面３５ａを有するハット型ジョイナー３５がビス等により取付けられている。一方、壁際に位置している野縁３４（図７の右端の野縁３４）には、その下面において、室内空間側に開口を向けた第１の方向（室内空間側）に延出する載置面３６ａを有する、コの字型ジョイナー３６がビス等により取付けられている。尚、野縁３４に対するハット型ジョイナー３５やコの字型ジョイナー３６の取付け状態を、図７中の拡大図にて示している。
【００５３】
図７に示す天井下地材３０Ａに対して、まず、図５に示す方法と同様に、断熱材２０が載置された段ボールトレイ１０を不図示の作業員が野縁受け３３の上方に持ち運び、第２の方向に間隔を置いて配設されている野縁受け３３の上に載置する。そして、次に載置される段ボールトレイ１０を断熱材２０を搭載した状態で双方の切り込み部１３同士を嵌め合いさせながら接続して、同様に野縁受け３３の上に載置する。
【００５４】
これを第２の方向に繰り返して第２の方向の天井をカバーするように段ボールトレイ１０を載置した後、隣接する第１の方向においても、同様に方法により、第２の方向の天井をカバーするように段ボールトレイ１０を載置していき、これを順次繰り返すことにより、天井面を完全にカバーするようにして複数の段ボールトレイ１０を野縁受け３３の上に載置する。図８は、このようにして野縁受け３３の上に複数の段ボールトレイ１０が載置された状態の一部を示している。以上が段ボールトレイ載置工程となる。
【００５５】
次に、段ボールトレイ１０の下方にある野縁３４に取付けられている、ハット型ジョイナー３５とコの字型ジョイナー３６に架け渡すようにして天井面材の取付けを行う。図９（ａ）に示すように、適用される天井面材は、一枚の平板状のライナー１と、ライナー１に接着されているコルゲート３とを有する、段ボールを素材とした面材である。この実施形態では、図示する天井面材が室内空間側に臨むことから、この天井面材は不燃紙等で形成されているのがよい。
【００５６】
この天井面材を、図９（ｂ）に示すように、コルゲート３を巻き回しの際に内側にくるようにしてロール状に巻き回すことにより、天井面材ロール体４０を容易に形成でき、また、コルゲート３等を損傷させることなく天井面材ロール体４０を形成できる。
【００５７】
図１０に示すように、天井面材ロール体４０を不図示の作業員が持ち、不図示の他の作業員が、コの字型ジョイナー３６とハット型ジョイナー３５に架け渡すようにして第２の方向であるＹ方向に引き出していく。例えば、図１０に示す天井面材ロール体４０が、第２の方向の一方の壁に位置する場合、この位置から他の作業員が天井面材を引き出して第２の方向の他方の壁まで天井面材を各載置面３５ａ，３６ａ上に載置することにより、第２の方向において対向する壁と壁の間に亘って、一列の天井面材の敷設を効率的に行うことができる。
【００５８】
尚、この天井面材の敷設に当たり、天井面材を形成するコルゲート３を室内空間側に臨ませた状態で天井面材を敷設することにより、波状を成す立体的な意匠面を室内側に臨ませることができる。
【００５９】
これを隣りの第１の方向における２つのハット型ジョイナー３５の間においても同様に行うことにより、図１１に示すように、第１の方向に隣接する２つのハット型ジョイナー３５に架け渡されるようにして、さらには、ハット型ジョイナー３５とコの字型ジョイナー３６に架け渡されるようにして、それぞれ天井面材を敷設することができる。更に、隣りの第１の方向においても同様に、第１の方向に隣接する２つのハット型ジョイナー３５に架け渡されるようにして天井面材を敷設し、これを第１の方向の壁と壁の間に亘って実行することにより、天井をカバーするようにして天井面材の敷設が行われ、コルゲート天井が形成される。以上がコルゲート天井形成工程であり、段ボールトレイ載置工程とコルゲート天井形成工程により、建物天井１００Ａの取付けが完了する。
【００６０】
建物天井１００Ａを室内空間側から見た図１２に示すように、断熱材２０が搭載された段ボールトレイ１０が野縁受け３３の上に載置され、コルゲート３からなる意匠面を有するコルゲート天井が、野縁３４の下面に取付けられている２つのハット型ジョイナー３５の間、もしくはハット型ジョイナー３５とコの字型ジョイナー３６の間にそれぞれ架け渡されて建物天井１００Ａが形成される。
【００６１】
建物天井１００Ａと壁の取り合い部にコの字型ジョイナー３６が配設されていることにより、建物天井１００Ａと壁との見切りを綺麗に仕上げることができる。また、野縁３４と、ハット型ジョイナー３５及びコの字型ジョイナー３６の載置面３５ａ，３６ａとによって挟まれた状態で天井面材が敷設されることにより、天井面材ロール体４０の際の巻き跡が残らず、フラットな状態のコルゲート天井を形成することができる。
【００６２】
図示する取付け方法によれば、断熱機能を奏する部位（野縁受け３３に載置された、断熱材２０が搭載された段ボールトレイ１０）と、室内空間側に対する意匠性を奏する部位（野縁３４に載置されたコルゲート天井）が明確に分けられた建物天井１００Ａを効率的に取付けることができる。
【００６３】
図示する建物天井１００，１００Ａは、仮設建物と本設建物のいずれに適用されてもよい。仮設建物としては、屋外イベントのための仮設アリーナや、震災後において早急な施工を要する仮設住宅、仮設の宿泊施設等が挙げられる。また、本設建物としては、商業施設やレジャー施設といった大型店舗、工場、オフィスビル（のシステム天井）、医療・福祉施設、官公庁舎、ホテルや宿泊施設、教育施設等が挙げられる。
【００６４】
なお、上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【符号の説明】
【００６５】
１，２：ライナー、３：コルゲート、１０：段ボールトレイ、１１：底面、１２：立面、１３：切り込み部、１４：罫線、２０：断熱材（グラスウールボード）、３０，３０Ａ：天井下地材、３１：吊りボルト、３２：ハンガー、３３：野縁受け、３４：野縁、３５：ハット型ジョイナー、３５ａ：載置面、３６：コの字型ジョイナー、３６ａ：載置面、４０：天井面材ロール体、１００，１００Ａ：建物天井
【図１】
2019173307.tif 000003
【図２】
2019173307.tif 000004
【図３】
2019173307.tif 000005
【図４】
2019173307.tif 000006
【図５】
2019173307.tif 000007
【図６】
2019173307.tif 000008
【図７】
2019173307.tif 000009
【図８】
2019173307.tif 000010
【図９】
2019173307.tif 000011
【図１０】
2019173307.tif 000012
【図１１】
2019173307.tif 000013
【図１２】
2019173307.tif 000014